(57)【要約】【課題】キャビネットの下方に配設され、化粧板とオープン構造部とを転換自在に正面に位置することのできるリバーシブルワゴンを提供する。【解決手段】キャビネットの下方に収納できるワゴンであって、該ワゴンの正面を化粧板１で構成し、背面をオープン構造部２とするとともに、上記ワゴンの下部に前後転換自在となるようにキャスター３を配設し、上記ワゴンの天板８の正面端部と背面端部とに各々一対の把手４を設け、上記化粧板１とオープン構造部２とを入れ替え自在とされたリバーシブルワゴンＡ。【選択図】図１
2006055556.tif 000002
【特許請求の範囲】
【請求項１】
キャビネットの下方に収納できるワゴンであって、該ワゴンの正面を化粧板で構成し、背面をオープン構造部とするとともに、上記ワゴンの下部に前後転換自在となるようにキャスターを配設し、上記ワゴンの天板の正面端部と背面端部とに各々一対の把手を設け、上記化粧板とオープン構造部とを入れ替え自在とされたリバーシブルワゴン。
【請求項２】
上記キャビネットの排水管を中にして上記一対の把手が挟むように天板の端面から張り出された請求項１に記載のリバーシブルワゴン。
【請求項３】
上記オープン構造部に内設された載置部の前面に横棒が横架された請求項１に記載のリバーシブルワゴン。
【請求項４】
上記横棒にさらに仕切り部が延設された請求項３に記載のリバーシブルワゴン。
【発明の詳細な説明】
【技術分野】
【０００１】
本発明は、洗面キャビネットやキッチンキャビネット等、キャビネットの下方に配設されるワゴンに関する。さらに詳しくは、キャスターを備え、前後左右自在に移動できるリバーシブルワゴンに関する。
【背景技術】
【０００２】
例えば、上記の移動自在とされたワゴンに関しては、オフィス内の給湯ユニットの下方に配置され、必要に応じて、離れた会議室等へ移動できるようにキャスターが配設されるとともに、湯茶のサービスセットを備えたワゴンが提案されている。
【特許文献１】実開平５−６５２３７号公報（第１頁、第１図）
【発明の開示】
【発明が解決しようとする課題】
【０００３】
上記技術においては、その図１から明らかなように、ワゴンは扉部が正面に位置するように配置され、この扉部を開閉して湯呑みや急須等を収め、あるいは取り出すようにされている。しかしながら、キャスターにより水平移動することは可能であるが、前部と後部とを転換し、扉部を背面にして給湯ユニットの下方に収納することはできない。本発明は、扉部とこの扉部の背面に物品を収納できるオープン構造部を設け、上記扉部とオープ構造部と前後転換自在に配置できるリバーシブルワゴンを提供することをその課題とする。
【課題を解決するための手段】
【０００４】
上記課題を解決するために、本発明においてはつぎのような技術的手段を講じている。すなわち、本発明によれば、キャビネットの下方に収納できるワゴンであって、該ワゴンの正面を化粧板で構成し、背面をオープン構造部とするとともに、上記ワゴンの下部に前後転換自在となるようにキャスターを配設し、上記ワゴンの天板の正面端部と背面端部とに各々一対の把手を設け、上記化粧板とオープン構造部とを入れ替え自在とされたリバーシブルワゴンが提供される。上記キャビネットとしては、下方に収納空間を有するものであればとくに限定されず、例えば、洗面キャビネット、キッチンキャビネット等をあげることができる。
【０００５】
上記ワゴンを前後に転換する際、手を掛けて取っ手として用いられる上記一対の把手は、洗面キャビネットの排水管を中にして挟むように、上記天板の端面から張り出して設けられることが好ましい。また、上記オープン構造部に内設された載置部の前面に横棒が横架されることが好ましく、さらに、この横棒に仕切り部が延設されることが好ましい。
【発明の効果】
【０００６】
請求項１に記載の発明は上記のとおりであり、ワゴンの正面を化粧板で構成し、背面をオープン構造部とするとともに、上記化粧板とオープン構造部とが入れ替え自在とされているため、通常は収納物を出し入れし易いようにオープン構造部を正面に配置し、来客時等は化粧板を正面に配置するように入れ替えて目隠しすることができる。
【０００７】
上記一対の把手が上記キャビネットの排水管を中にして挟むように天板の端面から張り出されているため、この把手でワゴンを前後転換自在に操作できるとともに、この張り出し部によって上記ワゴンと排水管との接触を防止することができる。また、この張り出し部をタオル掛けとしても用いることができる。
【０００８】
上記オープン構造部に内設された載置部の前面に横棒が横架されているため、収納物の落下や転倒を防止することができる。さらに、この横棒に仕切り部を延設することにより、小物類の左右への移動防止、転倒防止、区分収納等を図ることができる。
【発明を実施するための最良の形態】
【０００９】
以下、本発明の実施形態について図面を参照して、詳細に説明する。図１は、本発明にかかるリバーシブルワゴンＡを示す斜視図である。図１において、上記リバーシブルワゴンＡは、その下部にキャスター３が配設され、オープン構造部２を正面として洗面キャビネットＢの下方に配置される。図１においては、化粧板１は背面に位置しているが、上記キャスター３により前後転換自在に移動させ、正面に入れ替えることも可能である。また、リバーシブルワゴンＡの天板８の正面端部と背面端部とには各々一対の把手４が設けられるとともに、オープン構造部２に内設された載置部７の前面には収納物の落下防止、転倒防止のための横棒５が横架されている。
【００１０】
図２は上記リバーシブルワゴンＡを示す平面図であり、図３は図１において、上記リバーシブルワゴンＡを洗面キャビネットＢの下方に収納した状態を示す部分側断面図である。図２、図３からよくわかるように、把手４は上記天板８の端面からやや張り出して設けられており、オープン構造部２側に位置する把手４は、取っ手としてリバーシブルワゴンＡを前後に転換させるとともに、タオル掛けとして用いることもできる。また、化粧板１側の把手４は、洗面キャビネットＢの洗面ボウルからの排水管９を中にして挟むように設けられ、化粧板１が排水管９に当たるのを防ぐためのガードの役目をも果たす。
【００１１】
図４は、上記した収納物の落下防止、転倒防止のための横棒５にさらに左右への移動を防止するための仕切り部６を延設した形態を示すリバーシブルワゴンの断面図である。図５は、図１におけるオープン構造部２と化粧板１とを前後に転換させ、化粧板１を正面に配置させた状態を示す斜視図である。このように、通常は、収納物を出し入れし易いようにオープン構造部２を正面に配置し、来客時等は収納物を目隠しするように化粧板１を正面に配置させることができる。また、化粧板１の端部を回動自在に支承し、収納物を取り出すようにすることも可能である。以上述べたように、本発明のリバーシブルワゴンＡは、意匠性と実用性とを兼ね備えているため、本実施形態にかかる洗面キャビネットＢに限られず、キッチンキャビネット等種々のキャビネットに適用できる。
【図面の簡単な説明】
【００１２】
【図１】本発明にかかるリバーシブルワゴンを示す斜視図である。
【図２】上記リバーシブルワゴンを示す平面図である。
【図３】上記リバーシブルワゴンを洗面キャビネットの下方に収納した状態を示す部分側断面図である。
【図４】横棒にさらに仕切り部を延設した形態を示すリバーシブルワゴンの断面図である。
【図５】図１の化粧板とオープン構造部とを入れ替えた状態を示す斜視図である。
【符号の説明】
【００１３】
Ａ          本発明にかかるリバーシブルワゴン
Ｂ          洗面キャビネット
１          化粧板
２          オープン構造部
３          キャスター
４          把手
５          横棒
６          仕切り部
７          載置部
８          天板
９          排水管
【図１】
2006055556.tif 000003
【図２】
2006055556.tif 000004
【図３】
2006055556.tif 000005
【図４】
2006055556.tif 000006
【図５】
2006055556.tif 000007